(57)【特許請求の範囲】
【請求項１】
オブジェクトを表示する表示部と、
接触物の接触を検出する接触検出部と、
前記接触検出部に対する押圧荷重を検出する荷重検出部と、
前記表示部に表示されたオブジェクトの表示領域に対応する前記接触検出部の領域における前記接触物の接触位置と、前記荷重検出部が検出する押圧荷重とに基づいて、前記オブジェクトのファイルの操作を行う制御部と、を備え、
前記制御部は、前記オブジェクトがドラッグされて、前記接触検出部が検出する前記接触物の接触位置が他のオブジェクトの表示領域の位置に変化した状態で、前記荷重検出部が検出する押圧荷重が所定の荷重基準を満たしたならば、ドラッグされた前記オブジェクトのファイル、および他のオブジェクトのファイルの共通のデータからなるファイルを作成し、前記所定の荷重基準とは異なる荷重基準を満たしたならば、２つのファイルの全てのデータを含むファイルを作成することを特徴とする電子機器。
【発明の詳細な説明】
【技術分野】
【０００１】
本発明は、ファイルのオブジェクトを表示する表示部を備える電子機器に関するものである。
【背景技術】
【０００２】
従来、パーソナルコンピュータやスマートフォンのような電子機器において、任意のファイルを更新する場合、同じファイル名を使って、もとのファイルを上書きして更新を行っていた。この上書きして更新する方法では、更新後に、過去の（元の）ファイルに戻すことができなかった。そこで、任意のファイルを更新する際、過去のファイルを保存しておくため、ファイルをコピーして保存用ファイルおよび更新用ファイルを作成することがある。
【０００３】
なお、従来技術として、上書き保存などの操作によって、誤って元のファイルの情報などが消えてしまうことを防止するファイル管理システムが提案されている（例えば、特許文献１参照）。
【先行技術文献】
【特許文献】
【０００４】
【特許文献１】特開２００９−１４０２９９号公報
【発明の概要】
【発明が解決しようとする課題】
【０００５】
しかしながら、このように保存用ファイルおよび更新用ファイルを作成した場合においても、時として、どちらのファイルが保存用ファイルおよび更新用ファイルであるかわからなくなり、保存用ファイルおよび更新用ファイル共にデータを更新してしまうことがある。そのため、過去のファイルに戻すことができなってしまうことがある。そこで、これらのファイルの内容を、ユーザが所望する内容に迅速かつ容易に統合できるようにすることが求められている。
【０００６】
本発明は、このような問題点に鑑みてなされたものであり、本発明の目的は、ファイルの内容を、ユーザが所望する内容に迅速かつ容易に統合できる電子機器を提供することにある。
【課題を解決するための手段】
【０００７】
上記目的を達成するため、本発明の電子機器は、オブジェクトを表示する表示部と、接触物の接触を検出する接触検出部と、前記接触検出部に対する押圧荷重を検出する荷重検出部と、前記表示部に表示されたオブジェクトの表示領域に対応する前記接触検出部の領域における前記接触物の接触位置と、前記荷重検出部が検出する押圧荷重とに基づいて、前記オブジェクトのファイルの操作を行う制御部と、を備え、前記制御部は、前記オブジェクトがドラッグされて、前記接触検出部が検出する前記接触物の接触位置が他のオブジェクトの表示領域の位置に変化した状態で、前記荷重検出部が検出する押圧荷重が所定の荷重基準を満たしたならば、ドラッグされた前記オブジェクトのファイル、および他のオブジェクトのファイルの共通のデータからなるファイルを作成し、前記所定の荷重基準とは異なる荷重基準を満たしたならば、２つのファイルの全てのデータを含むファイルを作成することを特徴とする。
【発明の効果】
【００１０】
本発明は、オブジェクトがドラッグされて、他のオブジェクトに重ね合わされたならば、ドラッグされたオブジェクトのファイル、および他のオブジェクトのファイルの共通のデータからなるファイルを作成し、または２つのファイルの全てのデータを含むファイルを作成することができるので、ファイルの内容を、ユーザが所望する内容に迅速かつ容易に統合することができる。
【図面の簡単な説明】
【００１１】
【図１】本発明の実施形態に係る電子機器の概略構成を示すブロック図である。
【図２】本発明の実施形態に係る電子機器の実装構造の一例を示す図である。
【図３】本発明の実施形態に係る電子機器の動作を示すフローチャートである。
【図４】本発明の実施形態に係る電子機器の動作を模式的に示す図である。
【発明を実施するための形態】
【００１２】
本発明の実施の形態について、図面を参照して説明する。図１は、本発明の実施形態に係る電子機器の概略構成を示すブロック図である。図１に示すように、電子機器１は、接触検出部（タッチパネル）１０と、表示部２０と、荷重検出部３０と、記憶部４０と、触感呈示部５０と、制御部６０とを備える。
【００１３】
表示部２０は、ファイルを表すアイコンのようなオブジェクトを画像表示する。操作者は、指やスタイラスペン等の接触物でこのオブジェクトに触れる（タッチする）ようにし、ドラッグ等をすることにより、ファイルを操作する（例えば、ファイルを移動する、開く、結合する等）ことができる。表示部２０は、例えば、液晶表示パネル（ＬＣＤ）や有機ＥＬ表示パネル等を用いて構成される。
【００１４】
接触検出部（タッチパネル）１０は、通常は表示部２０の前面に配置され、表示部２０に表示されたオブジェクトに対する操作者の指等の接触物（押圧物）による接触、または接触の解除を、対応する接触検出部１０の入力面１０ａにおいて検出する。また、接触検出部１０は、入力面１０ａに対する接触位置を検出し、検出した接触位置を制御部６０に通知する。この接触検出部１０は、例えば抵抗膜方式、静電容量方式等の公知の方式のもので構成される。なお、接触検出部（タッチパネル）１０が接触物による接触を検出する上で、接触物が接触検出部１０に物理的に触れることは必須ではない。例えば、接触検出部１０が光学式である場合は、接触検出部１０は当該接触検出部１０上の赤外線等が接触物で遮られた位置を検出するため、接触物が接触検出部１０に触れることは不要である。
【００１５】
荷重検出部３０は、接触検出部１０の入力面１０ａに対する押圧荷重を検出するものであり、例えば、歪みゲージセンサや圧電素子等の素子を用いて構成される。また、荷重検出部３０は、検出した入力面１０ａに対する押圧荷重を、制御部６０に通知する。
【００１６】
制御部６０は、表示部２０に表示されたオブジェクトの表示領域に対応する接触検出部１０の領域における接触物の接触位置と、荷重検出部３０が検出する押圧荷重とに基づいて、オブジェクトのファイルの操作を行う。また、荷重検出部３０から取得した押圧荷重が記憶部４０に記憶されている所定の荷重基準を満たす場合には、触感呈示部５０に対して触感呈示動作を行うように指示する。
【００１７】
また、制御部６０は、オブジェクトがドラッグされて、接触検出部１０が検出する接触物の接触位置が他のオブジェクトの表示領域の位置に変化した状態で、荷重検出部３０が検出する押圧荷重が所定の荷重基準を満たしたならば、ドラッグされたオブジェクトのファイル、および他のオブジェクトのファイルの共通のデータからなるファイルを作成し、所定の荷重基準とは異なる荷重基準を満たしたならば、２つのファイルの全てのデータを含むファイルを作成する。
【００１８】
触感呈示部５０は、例えば圧電振動子等を用いて構成され、所定の振動パターンによる振動等を発生させることにより、入力面１０ａに接触している接触物に対して、所定の触感を呈示する。触感呈示部５０により、押圧荷重が荷重基準を満たしたか否かを操作者に報知することができる。
【００１９】
記憶部４０は、公知技術によるメモリで構成することができ、入力された各種情報や電子機器１を動作させるためのプログラムなどを記憶するとともに、ワークメモリとしても機能する。特に、本実施形態においては、制御部６０が、荷重検出部３０から取得した押圧荷重に応じて種々の内容のファイルを作成するときに用いる第１〜第４の荷重基準の値と、各オブジェクトに対応する表示領域とを記憶する。ここで、第１〜第４の荷重基準の値については、第２の荷重基準の値は第１の荷重基準の値より大きい（高い）値であり、第３の荷重基準の値は第２の荷重基準の値より大きい値であり、第４の荷重基準の値は第３の荷重基準の値より大きい値であるものとする。
【００２０】
図２は、図１に示した電子機器１の実装構造の一例を示すもので、図２（ａ）は要部断面図、図２（ｂ）は要部平面図である。表示部２０は、筐体１１内に収納保持する。表示部２０上には、弾性部材からなるインシュレータ１２を介して、接触検出部１０を保持する。なお、本実施の形態に係る電子機器１は、表示部２０および接触検出部１０を、平面視で矩形状としてある。本実施の形態において、接触検出部１０は、図２（ｂ）に仮想線で示す表示部２０の表示領域Ａから外れた４隅に配設したインシュレータ１２を介して表示部２０上に保持する。
【００２１】
また、筐体１１には、表示部２０の表示領域から外れた接触検出部１０の表面領域を覆うようにアッパカバー１３を設け、このアッパカバー１３と接触検出部１０との間に、弾性部材からなるインシュレータ１４を配設する。
【００２２】
なお、図２に示す接触検出部１０は、入力面１０ａを有する表面部材を、例えば透明フィルムやガラスで構成し、裏面部材をガラスやアクリルで構成している。接触検出部１０は、入力面１０ａが押圧されると、押圧部分が押圧力に応じて微少量撓む（歪む）、または構造体そのものが微少量撓む構造のものを用いる。
【００２３】
接触検出部１０の表面上には、アッパカバー１３で覆われる各辺の近傍に、接触検出部１０に加わる荷重（押圧力）を検出するための歪みゲージセンサ３１をそれぞれ接着等により設ける。また、接触検出部１０の裏面上には、対向する２つの辺の近傍に、接触検出部１０を振動させるための圧電振動子５１をそれぞれ接着等により設ける。すなわち、図２に示す電子機器１は、図１に示した荷重検出部３０を４つの歪みゲージセンサ３１を用いて構成し、触感呈示部５０を２つの圧電振動子５１を用いて構成している。そして、触感呈示部５０により接触検出部１０を振動させることにより、入力面１０ａを振動させるようにしている。なお、図２（ｂ）は、図２（ａ）に示した筐体１１、アッパカバー１３およびインシュレータ１４の図示を省略している。
【００２４】
次に、このように構成される本実施形態に係る電子機器１の動作を説明する。図３は、本実施形態に係る電子機器１の動作を示すフローチャートであり、図４は、本実施形態に係る電子機器１の動作を模式的に示す図である。なお、表示部２０上には、属性（例えば、拡張子）が同じである２つのファイルのアイコン（オブジェクト）２、３が表示されており、アイコン２に係るファイルの内容はＡ＋Ｂで構成され、アイコン３に係るファイルの内容はＡ＋Ｃで構成されているものとする。ここで、アイコン２に係るファイルの最終（最新）更新日は、アイコン３に係るファイルの最終更新日より前であるとする。
【００２５】
まず、電子機器１の動作が開始すると、制御部６０は、接触検出部１０に対する接触を監視する（ステップＳ１０１）。ステップＳ１０１において、操作者の指等の接触物による接触検出部１０に対する接触が検出されると、制御部６０は、接触検出部１０から接触位置を取得する（ステップＳ１０２）。
【００２６】
制御部６０は、ステップＳ１０２にて取得した接触位置が、アイコン２が表示された位置に対応するか否かを判定する（ステップＳ１０３）。接触位置が、アイコン２が表示された位置に対応しない場合には、処理を終了する。一方、図４（ａ）に示すように、接触位置が、アイコン２が表示された位置に対応する場合には、制御部６０は、さらに接触検出部１０に対する接触を監視し、接触検出部１０に接触した状態で、接触位置が、アイコン３が表示された位置に移動したか否か、すなわちアイコン２をドラッグしてアイコン２がアイコン３と重なっているか否かを判定する（ステップＳ１０４）。図４（ｂ）は、アイコン２をアイコン３に接触させようとしているときの状態を示しており、図４（ｃ）は、アイコン２とアイコン３が重なる直前の状態を示している。制御部６０は、アイコン２、３が重なっていない場合（ステップＳ１０４でＮｏの場合）、接触検出部１０がリリース（非接触）を検出したか否かを判定する（ステップＳ１２０）。制御部６０は、接触検出部１０がリリースを検出した場合（ステップＳ１２０でＹｅｓの場合）は、処理を終了する。接触検出部１０がリリースを検出しない場合（ステップＳ１２０でＮｏの場合）は、ステップＳ１０４に戻る。アイコン２、３が重なっている場合（ステップＳ１０４でＹｅｓの場合）は、アイコン２のファイルの属性とアイコン３のファイルの属性とが一致するか否かを判定する（ステップＳ１０５）。ファイルの属性が一致しない場合は、他の処理へ移行する（ステップＳ１０６）。
【００２７】
ファイルの属性が一致する場合は、制御部６０は、荷重検出部３０が第１の荷重基準以上の押圧荷重を検出したか否かを判定する（ステップＳ１０７）。制御部６０は、荷重検出部３０で検出する押圧荷重が第１の荷重基準未満の場合（ステップＳ１０７でＮｏの場合）、接触検出部１０がリリース（非接触）を検出したか否かを判定する（ステップＳ１０８）。制御部６０は、接触検出部１０がリリースを検出した場合（ステップＳ１０８でＹｅｓの場合）は、図４（ｄ）に示すように、２つのアイコン２、３が示すファイルの内容をマージ（結合）してファイル内容がＡ＋Ｂ＋Ｃのファイルを作成する（ステップＳ１１８）。そして、アイコン２、３を合成してアイコン４を表示する（ステップＳ１１９）。接触検出部１０がリリースを検出しない場合（ステップＳ１０８でＮｏの場合）は、ステップＳ１０７に戻る。
【００２８】
ステップＳ１０７で、荷重検出部３０が第１の荷重基準以上の押圧荷重を検出した場合（Ｙｅｓの場合）には、制御部６０は、触感呈示部５０に対して触感呈示動作を行うように指示した後、荷重検出部３０が第２の荷重基準以上の押圧荷重を検出したか否かを判定する（ステップＳ１０９）。制御部６０は、荷重検出部３０で検出する押圧荷重が第２の荷重基準未満の場合（ステップＳ１０９でＮｏの場合）、接触検出部１０がリリースを検出したか否かを判定する（ステップＳ１１０）。制御部６０は、接触検出部１０がリリースを検出した場合（ステップＳ１１０でＹｅｓの場合）は、２つのアイコン２、３が示すファイルの共通のデータ部分からなるＡの内容のファイルを作成する（ステップＳ１１１）。図４（ｅ）は、Ａの内容のファイルを作成した状態を示すとともに、第１の荷重基準とファイル内容Ａとの対応関係を示している。そして、アイコン２、３を合成してアイコン４を表示する（ステップＳ１１９）。接触検出部１０がリリースを検出しない場合（ステップＳ１１０でＮｏの場合）は、ステップＳ１０９に戻る。
【００２９】
ステップＳ１０９で、荷重検出部３０が第２の荷重基準以上の押圧荷重を検出した場合（Ｙｅｓの場合）には、制御部６０は、触感呈示部５０に対して触感呈示動作を行うように指示した後、荷重検出部３０が第３の荷重基準以上の押圧荷重を検出したか否かを判定する（ステップＳ１１２）。制御部６０は、荷重検出部３０で検出する押圧荷重が第３の荷重基準未満の場合（ステップＳ１１２でＮｏの場合）、接触検出部１０がリリースを検出したか否かを判定する（ステップＳ１１３）。制御部６０は、接触検出部１０がリリースを検出した場合（ステップＳ１１３でＹｅｓの場合）は、アイコン２が示すファイルの内容であるＡ＋Ｂのファイルを作成する（ステップＳ１１４）。図４（ｅ）は、Ａ＋Ｂの内容のファイルを作成した状態を示すとともに、第２の荷重基準とファイル内容Ａ＋Ｂとの対応関係を示している。そして、アイコン２、３を合成してアイコン４を表示する（ステップＳ１１９）。接触検出部１０がリリースを検出しない場合（ステップＳ１１３でＮｏの場合）は、ステップＳ１１２に戻る。
【００３０】
ステップＳ１１２で、荷重検出部３０が第３の荷重基準以上の押圧荷重を検出した場合（Ｙｅｓの場合）には、制御部６０は、触感呈示部５０に対して触感呈示動作を行うように指示した後、荷重検出部３０が第４の荷重基準以上の押圧荷重を検出したか否かを判定する（ステップＳ１１５）。制御部６０は、荷重検出部３０で検出する押圧荷重が第４の荷重基準未満の場合（ステップＳ１１５でＮｏの場合）、接触検出部１０がリリースを検出したか否かを判定する（ステップＳ１１６）。制御部６０は、接触検出部１０がリリースを検出した場合（ステップＳ１１６でＹｅｓの場合）は、アイコン３が示すファイルの内容であるＡ＋Ｃのファイルを作成する（ステップＳ１１７）。図４（ｅ）は、Ａ＋Ｃの内容のファイルを作成した状態を示すとともに、第３の荷重基準とファイル内容Ａ＋Ｃとの対応関係を示している。そして、アイコン２、３を合成してアイコン４を表示する（ステップＳ１１９）。接触検出部１０がリリースを検出しない場合（ステップＳ１１３でＮｏの場合）は、ステップＳ１１５に戻る。
【００３１】
ステップＳ１１５で、荷重検出部３０が第４の荷重基準以上の押圧荷重を検出した場合（Ｙｅｓの場合）には、制御部６０は、図４（ｆ）に示すように、２つのアイコン２、３が示すファイルの内容をマージしてファイル内容がＡ＋Ｂ＋Ｃのファイルを作成する（ステップＳ１１８）。そして、アイコン２、３を合成してアイコン４を表示する（ステップＳ１１９）。
【００３２】
上述のように、本実施形態に係る電子機器は、オブジェクトがドラッグされて、他のオブジェクトに重ね合わされたならば、ドラッグされたオブジェクトのファイル、および他のオブジェクトのファイルの共通のデータからなるファイルを作成し、または２つのファイルの全てのデータを含むファイルを作成することができるので、ファイルの内容を、ユーザが所望する内容に迅速かつ容易に統合することができる。
【００３３】
なお、本発明は、上述した実施形態にのみ限定されるものではなく、幾多の変形または変更が可能である。例えば、上述した実施形態では、荷重検出部３０を備えて、荷重検出部３０が検出する押圧荷重に基づいて、オブジェクトのファイルの操作を行ったが、本発明は、荷重検出部３０を備えることなく、オブジェクトを表示する表示部２０と、接触物の接触を検出する接触検出部１０と、表示部２０に表示されたオブジェクトのファイルの操作を行う制御部６０とを備えて、制御部６０が、オブジェクトがドラッグされて、接触検出部１０が検出する接触物の接触位置が他のオブジェクトの表示領域の位置に変化したならば、ドラッグされたオブジェクトのファイル、および他のオブジェクトのファイルの共通のデータからなるファイルを作成し、または、２つのファイルの全てのデータを含むファイルを作成するようにしてオブジェクトのファイル操作を行ってもよい。
【００３４】
また、本発明は、さらに接触検出部１０を備えることなく、オブジェクトを表示する表示部２０と、表示部２０に表示されたオブジェクトのファイルの操作を行う制御部６０とを備えて、制御部６０が、マウス等によりオブジェクトがドラッグされて、他のオブジェクトに重ね合わされたならば、ドラッグされたオブジェクトのファイル、および他のオブジェクトのファイルの共通のデータからなるファイルを作成し、または２つのファイルの全てのデータを含むファイルを作成するようにしてオブジェクトのファイル操作を行ってもよい。
【００３５】
また、上述した実施形態においては、第１〜第４の荷重基準の値は記憶部６０に記憶されていたが、この第１〜第４の荷重基準の値は、操作者によって適宜変更されるものであってもよい。
【００３６】
また、上述した実施形態において、例えば、荷重基準「以上」または荷重基準「未満」といった表現は必ずしも厳密な意味ではなく、荷重基準「以上」とは基準の荷重を超える場合も包含し得るものとし、荷重基準「未満」とは、基準の荷重以下となる場合も包含し得るものとする。
【００３７】
また、上述した実施形態では、接触検出部１０を用いて入力面１０ａに対する接触を検出したが、荷重センサ（荷重検出部）を用いて、所定の押圧荷重の基準を満たした場合に、接触がなされたものと判定することもできる。このような荷重検出部は、上述した実施の形態の荷重検出部３０と同様に、任意の個数の歪みゲージセンサ３１等を用いて構成することができる。
【００３８】
また、触感呈示部５０は、振動モータ（偏心モータ）に基づいて電子機器１を振動させることにより、接触検出部１０の入力面１０ａを間接的に振動させるように構成することもできる。さらに、荷重検出部３０および触感呈示部５０は、圧電素子を用いて構成する場合は、圧電素子を共用して荷重検出部３０および触感呈示部５０を構成することもできる。圧電素子は、圧力が加わると電力（電圧）を発生し、電力（電圧）が加えられると変形するためである。
【００３９】
上述した実施形態においては、接触検出部１０を表示部２０の上面に重ねて配置した構成を想定して説明したが、必ずしもこのような構成にする必要はなく、接触検出部１０と表示部２０とを離間した構成にしてもよい。
【００４０】
また、上述した実施形態において、触感呈示部５０が入力面１０ａに接触している接触対象に対して触感を呈示する態様として、触感呈示部５０が入力面１０ａに振動を発生させることにより、入力面１０ａに接触している接触対象に対して触感を呈示する態様を挙げて説明したが、本発明はこれに限定されず、接触検出部１０上に貼ったフィルムの電荷を制御する等により、機械的な振動を使わずに、入力面１０ａに接触している接触対象に対して触感を呈示してもよい。
【００４１】
また、上述の本発明の実施形態の説明における接触検出部１０および表示部２０は、接触検出部１０および表示部２０の両機能を共通の基板に持たせる等により、一体化した装置によって構成されてもよい。このような接触検出部１０および表示部２０の両機能を一体化した装置の構成の一例としては、液晶パネルが有するマトリクス状配列の画素電極群に、フォトダイオード等の複数の光電変換素子を規則的に混在させたものがある。この装置は、液晶パネル構造によって画像を表示する一方で、パネル表面の所望位置をタッチ入力するペンの先端で液晶表示用のバックライトの光を反射し、この反射光を周辺の光電変換素子が受光することにより、タッチ位置を検出することができる。
【００４２】
また、上述した本発明の実施態様の説明においては、荷重検出部について詳述したが、荷重検出部が圧電素子として構成される場合、本発明の「接触検出部に対する押圧荷重を検出する」には、「接触検出部に対する押圧荷重に基づき電圧を出力（発生）する」ことが含まれるものである。また、同様に、本発明の「荷重基準」には、「電圧による基準である電圧基準」が含まれるものである。また、同様に、「荷重検出部により検出する押圧荷重」には、「圧電素子により出力（発生）する電圧」が含まれるものである。このように、荷重検出部として圧電素子を用いて、圧電素子が接触検出部に対する押圧荷重に基づき電圧を出力（発生）する場合などには、制御部は、圧電素子が出力する電圧から接触検出部に対する押圧荷重を算出などすることなく、圧電素子が出力する電圧に基づき、所定の処理を行うか否かの判断を行ってもよい。この場合は上述のとおり、制御部は、圧電素子が出力する電圧が所定の電圧基準を満たしたならば、ドラッグされたオブジェクトのファイル、および他のオブジェクトのファイルの共通のデータからなるファイルを作成し、所定の電圧基準とは異なる電圧基準を満たしたならば、２つのファイルの全てのデータを含むファイルを作成するものである。
【００４３】
また、上述した本発明の実施態様の説明において、所定の荷重基準を満たすこととは、例えば、接触検出部に対する押圧荷重が所定の荷重閾値以上になることや、接触検出部に対する押圧荷重が所定の荷重閾値を超えること、接触検出部に対する押圧荷重が一定時間荷重閾値以上であることなどである。上述した本発明の実施態様では、所定の荷重基準を満たすこととは、押圧荷重が所定の荷重基準（閾値）以上になることとしている。
【００４４】
また、上述した本発明の実施態様の説明においては、荷重検出部が検出する押圧荷重が第２の荷重基準（所定の荷重基準）を満たしたならば、ドラッグされたオブジェクトのファイル、および他のオブジェクトのファイルの共通のデータからなるファイルを作成し、第１の荷重基準より高い第４の荷重基準（異なる荷重基準）を満たしたならば、２つのファイルの全てのデータを含むファイルを作成するが、本発明はこれに限定されず、荷重検出部が検出する押圧荷重が第４の荷重基準を満たしたならば、ドラッグされたオブジェクトのファイル、および他のオブジェクトのファイルの共通のデータからなるファイルを作成し、第４の荷重基準より低い第１の荷重基準を満たしたならば、２つのファイルの全てのデータを含むファイルを作成してもよい。
【００４５】
また、上述した本発明の実施態様の説明においては、第１〜第４の荷重基準が設定されていたが、第１の荷重基準および第４の荷重基準が設定され、第２の荷重基準および第３の荷重基準は設定されなくともよい。
【００４６】
また、上述した本発明の実施態様の説明においては、ファイルの内容についてＡ、Ａ＋Ｂ、Ａ＋Ｃ、Ａ＋Ｂ＋Ｃの文字を用いて説明したが、このＢ、Ｃは、ファイルの内容がＡであるものからの差分を示すものであってもよい。例えば、ファイルの内容が文章であり、Ａが「１１月２６日（水）」であり、Ａ＋Ｂが「１１月２６日」であり、Ａ＋Ｃが「２０１１年１１月２６日（水）」であるとすると、Ａ＋Ｂ＋Ｃは「２０１１年１１月２６日」となる。ここで、Ｂは「（水）」を削除したことであり、Ｃは「２０１１年」を追加したことである。
【符号の説明】
【００４７】
１    電子機器
２、３、４  アイコン
１０  接触検出部
１０ａ  入力面
１１  筐体
１２  インシュレータ
１３  アッパカバー
１４  インシュレータ
２０  表示部
３０  荷重検出部
３１  歪みゲージセンサ
４０  記憶部
５０  触感呈示部
５１  圧電振動子
６０  制御部
【図１】
0005801689.tif 000002
【図２】
0005801689.tif 000003
【図３】
0005801689.tif 000004
【図４】
0005801689.tif 000005